(57)【要約】【課題】本発明は加工品挟持機を開示した。【解決手段】取付台、前記取付台と接続するカード柱と前記カード柱と接続する電気挟持機を含み、前記カード柱の底端面の右側に第一斜角面が設置され、前記カード柱の右端面に右に向かうロック溝が設置され、前記取付台の頂端面の中心に前記カード柱を挿入し係合し接続されるカード溝が設置され、前記カード溝の底端壁の中心に前記電気先端と係合し接続される電気穴が設置され、本発明は全体な構造が簡単で、設計が完全に合理的で、電気挟持機を通電し加工品を吸着する同時に電気挟持機をロックし、電気挟持機が通電し接触不良などの電気現象で引き起こす感電事故を避けて、現在の生活の感電事故を大きく減らし、電気挟持機が通電する安全性と安定性と保証し、電気挟持機が加工品を吸着する効率を高める。【選択図】図3
2019181666.tif 000002
【特許請求の範囲】
【請求項１】
加工品挟持機であって、取付台、前記取付台と接続するカード柱と前記カード柱と接続する電気挟持機を含み、前記カード柱の底端面の右側に第一斜角面が設置され、前記カード柱の右端面に右に向かうロック溝が設置され、前記取付台の頂端面の中心に前記カード柱を挿入し係合し接続されるカード溝が設置され、前記カード溝の底端壁の中心に前記電気先端と係合し接続される電気穴が設置され、前記カード溝の右側に第一滑り溝が設置され、前記第一滑り溝の上端に上に向かって前記取付台の外部と連結する開口溝が設置され、前記第一滑り溝の右端壁にキャビティが設置され、前記第一滑り溝に左右に滑り板がスライド可能なように設置され、前記滑り板の上端面に前記開口溝と摺動可能なように係合して接続され上に伸びるアームレバーが設置され、前記滑り板の頂端面の左側に前記第一斜角面と当接しスライド可能に係合する第二斜角面が設置され、前記滑り板の右端に第一ばねくぎが接続され、前記第一ばねくぎが前記滑り板と離れる一端が前記キャビティの右端壁に接続され、前記取付台が前記カード溝の下に転送溝が設置され、前記転送溝の右端に押込装置が設置され、前記転送溝に左右にスライドする滑り台が設置され、前記転送溝の左端壁に上下対称に上電気ブロックと下電気ブロックが設置され、前記滑り台の左端面に上下対称に前記上電気ブロックと下電気ブロックと係合し接続し通電する上電気筐体と下電気筐体が設置され、前記上電気ブロックが前記電気穴と電気的に接続し、前記下電気ブロックが商用電源と接続し、前記上電気筐体と前記下電気筐体が互いに電気的に接続し、前記押込装置が前記転送溝と前記取付台の外部を連結する開口溝と前記開口溝に設置される押込レバーを含み、前記開口溝の左側に固定取付板が固定的に設置され、前記押込レバーの左端が前記固定取付板を通り抜けて前記固定取付板と左右に摺動可能なように係合して接続し、前記押込レバーの左端が前記滑り台と固定的に接続し、前記押込レバーの左端位置に近づく位置にフランジが固定的に設置され、前記押込レバーが前記固定取付板と前記フランジの間に第二ばねくぎが回転可能なように設置され、前記押込レバーの下端に前記押込レバーとヒンジで連結するロックレバーが設置され、前記取付台の下端面に前記開口溝と連結する環状ロック溝が設置され、前記ロックレバーのロック部位が回転可能なように前記環状ロック溝に挿し込み、前記第一斜角面と前記第二斜角面の傾斜角度が同一であり、前記ロック溝と前記第一滑り溝のノッチ面積が同じであることを特徴とする加工品挟持機。
【発明の詳細な説明】
【技術分野】
【０００１】
本発明は加工品加工設備分野に関し、具体的には加工品挟持機に関する。
【背景技術】
【０００２】
加工品を加工する過程において、加工品挟持設備を使って加工品を固定し、現在の加工品挟持設備の構造が複雑で、日常のメンテナンスと使用に不便で、安全性能が悪く、そして現在の挟持設備が常に二つ或いはいくつかの挟持板を使って加工品を固定し、挟持板のクランプ力が大きすぎると加工品が変形しやすく、挟持板のクランプ力が小さすぎると緩みやすく、欠陥が存在する。
【先行技術文献】
【特許文献】
【０００３】
【特許文献１】中国特許出願公開第104209857号明細書
【発明の概要】
【発明が解決しようとする課題】
【０００４】
本発明は解決する必要な技術問題に対して加工品挟持機を提供した。それは上記の現在の技術問題を解決できる。
【課題を解決するための手段】
【０００５】
上記の問題を解決するため、本発明は以下の技術方案を採用する。本発明の加工品挟持機は取付台、前記取付台と接続するカード柱と前記カード柱と接続する電気挟持機を含み、前記カード柱の底端面の右側に第一斜角面が設置され、前記カード柱の右端面に右に向かうロック溝が設置され、前記取付台の頂端面の中心に前記カード柱を挿入し係合し接続されるカード溝が設置され、前記カード溝の底端壁の中心に前記電気先端と係合し接続される電気穴が設置され、前記カード溝の右側に第一滑り溝が設置され、前記第一滑り溝の上端に上に向かって前記取付台の外部と連結する開口溝が設置され、前記第一滑り溝の右端壁にキャビティが設置され、前記第一滑り溝に左右に滑り板がスライド可能なように設置され、前記滑り板の上端面に前記開口溝と摺動可能なように係合して接続され上に伸びるアームレバーが設置され、前記滑り板の頂端面の左側に前記第一斜角面と当接しスライド可能に係合する第二斜角面が設置され、前記滑り板の右端に第一ばねくぎが接続され、前記第一ばねくぎが前記滑り板と離れる一端が前記キャビティの右端壁に接続され、前記取付台が前記カード溝の下に転送溝が設置され、前記転送溝の右端に押込装置が設置され、前記転送溝に左右にスライドする滑り台が設置され、前記転送溝の左端壁に上下対称に上電気ブロックと下電気ブロックが設置され、前記滑り台の左端面に上下対称に前記上電気ブロックと下電気ブロックと係合し接続し通電する上電気筐体と下電気筐体が設置され、前記上電気ブロックが前記電気穴と電気的に接続し、前記下電気ブロックが商用電源と接続し、前記上電気筐体と前記下電気筐体が互いに電気的に接続する。
【０００６】
好ましい技術方案として前記押込装置が前記転送溝と前記取付台の外部を連結する開口溝と前記開口溝に設置される押込レバーを含み、前記開口溝の左側に固定取付板が固定的に設置され、前記押込レバーの左端が前記固定取付板を通り抜けて前記固定取付板と左右に摺動可能なように係合して接続し、前記押込レバーの左端が前記滑り台と固定的に接続し、前記押込レバーの左端位置に近づく位置にフランジが固定的に設置され、前記押込レバーが前記固定取付板と前記フランジの間に第二ばねくぎが回転可能なように設置され、前記押込レバーの下端に前記押込レバーとヒンジで連結するロックレバーが設置され、前記取付台の下端面に前記開口溝と連結する環状ロック溝が設置され、前記ロックレバーのロック部位が回転可能なように前記環状ロック溝に挿し込む。
【０００７】
好ましい技術方案として、前記第一斜角面と前記第二斜角面の傾斜角度が同一であり、前記ロック溝と前記第一滑り溝のノッチ面積が同じである。
【０００８】
本発明の有益な効果は、下記の通りである。1. カード柱とカード溝を正確に合わせて、次第にカード溝に挿し込み、カード柱がカード溝に挿し込んで第一斜角面と第二斜角面が当接しスライド可能なように係合し、これによりカード柱を使って滑り板を右に水平に押動し、同時に、カード柱とカード溝が係合し接続する状態にあり、電気先端と電気穴が係合し接続する状態にあり、ロック溝と第一滑り溝が対応する状態にあり、第一ばねくぎの押圧作用のもとで、滑り板がロック溝に挿し込み係合し接続しカード柱をカード溝にロックし、これによりカード柱の取付台の接続安定性を確保し、その後に押込レバーを左水平に押動し、押込レバーが滑り台と連動して左にスライドし、押込レバーの押動作用のもとで、滑り台が転送溝の一番左端に位置し、上電気ブロックと下電気ブロックがそれぞれ上電気筐体と下電気筐体と係合し接続し通電し、これにより電気穴を通電し、電気先端を通電し、電気挟持機に電力供給し、同時にロックレバーが回転可能なように環状ロック溝に挿し込み押込レバーの位置をロックし、電気挟持機が加工品を吸着する安定性を保証する。
【０００９】
2. ロックレバーを下に回転可能なようにし、第二ばねくぎの押圧作用のもとでロックレバーが右に押動され、ロックレバーが右に押動し滑り台と連動して右にスライドし、これにより上電気ブロックと下電気ブロックがそれぞれに上電気筐体と下電気筐体と離れて係合し接続し、電気穴を通電し、電気挟持機が電源オフし加工品を吸着することを停止し、その後にアームレバーを右に押動し、これにより滑り板がロック溝との係合接続から離れて、カード柱を解錠し、その後にカード溝の中からカード柱を抜け出してカード柱がカード溝との係合接続から離れて、その後にアームレバーを緩めて、第一ばねくぎの押圧作用のもとで、滑り板が左に押圧され初期位置状態に戻って、これにより次回に電気挟持機が通電し加工品を吸着することを便利にし、これにより通電挟持機が通電し加工品を吸着する安全性を高める。
【００１０】
3. 本発明は全体的な構造が簡単で、設計が完全に合理的で、電気挟持機を通電し加工品を吸着する同時に電気挟持機をロックし、電気挟持機が通電し接触不良などの電気現象で引き起こす感電事故を避けて、現在の生活の感電事故を大きく減らし、電気挟持機が通電する安全性と安定性と保証し、電気挟持機が加工品を吸着する効率を高める。
【発明の効果】
【００１１】
本発明の有益な効果は、下記の通りである。1. 前記カード柱と前記カード溝を正確に合わせて、次第に前記カード溝に挿し込み、前記カード柱が前記カード溝に挿し込んで前記第一斜角面と前記第二斜角面が当接しスライド可能なように係合し、これにより前記カード柱を使って前記滑り板を右に水平に押動し、同時に、前記カード柱と前記カード溝が係合し接続する状態にあり、前記電気先端と前記電気穴が係合し接続する状態にあり、前記ロック溝と前記第一滑り溝が対応する状態にあり、前記第一ばねくぎの押圧作用のもとで、前記滑り板が前記ロック溝に挿し込み係合し接続し前記カード柱を前記カード溝にロックし、これによりカード柱の取付台の接続安定性を確保し、その後に前記押込レバーを左水平に押動し、前記押込レバーが前記滑り台と連動して左にスライドし、前記押込レバーの押動作用のもとで、前記滑り台が前記転送溝の一番左端に位置し、前記上電気ブロックと下電気ブロックがそれぞれ前記上電気筐体と下電気筐体と係合し接続し通電し、これにより前記電気穴を通電し、前記電気先端を通電し、前記電気挟持機に電力供給し、同時に前記ロックレバーが回転可能なように環状ロック溝に挿し込み前記押込レバーの位置をロックし、前記電気挟持機が加工品を吸着する安定性を保証する。
【００１２】
2. 前記ロックレバーを下に回転可能なようにし、前記第二ばねくぎの押圧作用のもとで前記ロックレバーが右に押動され、前記ロックレバーが右に押動し前記滑り台と連動して右にスライドし、これにより前記上電気ブロックと下電気ブロックがそれぞれに前記上電気筐体と前記下電気筐体と離れて係合し接続し、前記電気穴を通電し、前記電気挟持機が電源オフし加工品を吸着することを停止し、その後に前記アームレバーを右に押動し、これにより前記滑り板が前記ロック溝との係合接続から離れて、前記カード柱を解錠し、その後に前記カード溝の中から前記カード柱を抜け出して前記カード柱が前記カード溝との係合接続から離れて、その後に前記アームレバーを緩めて、前記第一ばねくぎの押圧作用のもとで、前記滑り板が左に押圧され初期位置状態に戻って、これにより次回に前記電気挟持機が通電し加工品を吸着することを便利にし、これにより通電挟持機が通電し加工品を吸着する安全性を高める。
【００１３】
3. 本発明は全体的な構造が簡単で、設計が完全に合理的で、電気挟持機を通電し加工品を吸着する同時に電気挟持機をロックし、電気挟持機が通電し接触不良などの電気現象で引き起こす感電事故を避けて、現在の生活の感電事故を大きく減らし、電気挟持機が通電する安全性と安定性と保証し、電気挟持機が加工品を吸着する効率を高める。
【図面の簡単な説明】
【００１４】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１５】
【図１】図１は本発明の加工品挟持機の全体構造概略図である。
【図２】図２は図１の中の電気挟持機が通電とロック状態にある構造概略図である。
【図３】図３は本発明の取付台の俯瞰構造概略図である。
【発明を実施するための形態】
【００１６】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１７】
図1〜3が示すように、加工品挟持機は取付台3、前記取付台3と接続するカード柱2と前記カード柱2と接続する電気挟持機1を含み、前記カード柱2の底端面の右側に第一斜角面5が設置され、前記カード柱2の右端面に右に向かうロック溝6が設置され、前記取付台3の頂端面の中心に前記カード柱2を挿入し係合し接続されるカード溝13が設置され、前記カード溝13の底端壁の中心に前記電気先端4と係合し接続される電気穴14が設置され、前記カード溝13の右側に第一滑り溝9が設置され、前記第一滑り溝9の上端に上に向かって前記取付台3の外部と連結する開口溝15が設置され、前記第一滑り溝9の右端壁にキャビティ12が設置され、前記第一滑り溝9に左右に滑り板8がスライド可能なように設置され、前記滑り板8の上端面に前記開口溝15と摺動可能なように係合して接続され上に伸びるアームレバー10が設置され、前記滑り板8の頂端面の左側に前記第一斜角面5と当接しスライド可能に係合する第二斜角面7が設置され、前記滑り板8の右端に第一ばねくぎ11が接続され、前記第一ばねくぎ11が前記滑り板8と離れる一端が前記キャビティ12の右端壁に接続され、前記取付台3が前記カード溝13の下に転送溝19が設置され、前記転送溝19の右端に押込装置16が設置され、前記転送溝19に左右にスライドする滑り台22が設置され、前記転送溝19の左端壁に上下対称に上電気ブロック20と下電気ブロック21が設置され、前記滑り台22の左端面に上下対称に前記上電気ブロック20と下電気ブロック21と係合し接続し通電する上電気筐体24と下電気筐体23が設置され、前記上電気ブロック20が前記電気穴14と電気的に接続し、前記下電気ブロック21が商用電源と接続し、前記上電気筐体24と前記下電気筐体23が互いに電気的に接続する。
【００１８】
好ましくは、前記押込装置16が前記転送溝19と前記取付台3の外部を連結する開口溝28と前記開口溝28に設置される押込レバー27を含み、前記開口溝28の左側に固定取付板29が固定的に設置され、前記押込レバー27の左端が前記固定取付板29を通り抜けて前記固定取付板29と左右に摺動可能なように係合して接続し、前記押込レバー27の左端が前記滑り台22と固定的に接続し、前記押込レバー27の左端位置に近づく位置にフランジ26が固定的に設置され、前記押込レバー27が前記固定取付板29と前記フランジ26の間に第二ばねくぎ25が回転可能なように設置され、前記押込レバー27の下端に前記押込レバー27とヒンジで連結するロックレバー17が設置され、前記取付台3の下端面に前記開口溝28と連結する環状ロック溝18が設置され、前記ロックレバーのロック部位が回転可能なように前記環状ロック溝18に挿し込み、これにより通電接触の安定性と停電解錠の高速性を保証する。
【００１９】
好ましくは、前記第一斜角面5と前記第二斜角面7の傾斜角度が同一であり、前記ロック溝6と前記第一滑り溝のノッチ面積が同一であり、これにより前記滑り板8が前記ロック溝6に挿し込んで係合し接続することを便利にする。
【００２０】
本装置を使用する時に、前記カード柱2と前記カード溝13を正確に合わせて、次第に前記カード溝13に挿し込み、前記カード柱2が前記カード溝13に挿し込んで前記第一斜角面5と前記第二斜角面7が当接しスライド可能なように係合し、これにより前記カード柱2を使って前記滑り板を右に水平に押動し、同時に、前記カード柱2と前記カード溝13が係合し接続する状態にあり、前記電気先端4と前記電気穴14が係合し接続する状態にあり、前記ロック溝6と前記第一滑り溝9が対応する状態にあり、前記第一ばねくぎ11の押圧作用のもとで、前記滑り板8が前記ロック溝6に挿し込み係合し接続し前記カード柱2を前記カード溝13にロックし、これによりカード柱2の取付台3の接続安定性を確保し、その後に前記押込レバー27を左水平に押動し、前記押込レバー27が前記滑り台22と連動して左にスライドし、前記押込レバー27の押動作用のもとで、前記滑り台22が前記転送溝19の一番左端に位置し、前記上電気ブロック20と下電気ブロック21がそれぞれ前記上電気筐体24と下電気筐体23と係合し接続し通電し、これにより前記電気穴14を通電し、前記電気先端4を通電し、前記電気挟持機１に電力供給し、同時に前記ロックレバー17が回転可能なように環状ロック溝18に挿し込み前記押込レバー27の位置をロックし、前記電気挟持機１が加工品を吸着する安定性を保証し、電気挟持機１を使用しない時に、前記ロックレバー17を下に回転可能なようにし、前記第二ばねくぎ25の押圧作用のもとで前記ロックレバー17が右に押動され、前記ロックレバー17が右に押動し前記滑り台22と連動して右にスライドし、これにより前記上電気ブロック20と下電気ブロック21がそれぞれに前記上電気筐体24と前記下電気筐体23と離れて係合し接続し、前記電気穴14を通電し、前記電気挟持機１が電源オフし加工品を吸着することを停止し、その後に前記アームレバー10を右に押動し、これにより前記滑り板8が前記ロック溝6との係合接続から離れて、前記カード柱2を解錠し、その後に前記カード溝13の中から前記カード柱2を抜け出して前記カード柱2が前記カード溝13との係合接続から離れて、その後に前記アームレバー10を緩めて、前記第一ばねくぎ11の押圧作用のもとで、前記滑り板8が左に押圧され初期位置状態に戻って、これにより次回に前記電気挟持機１が通電し加工品を吸着することを便利にする。
【００２１】
本発明の有益な効果は、下記の通りである。1. カード柱とカード溝を正確に合わせて、次第にカード溝に挿し込み、カード柱がカード溝に挿し込んで第一斜角面と第二斜角面が当接しスライド可能なように係合し、これによりカード柱を使って滑り板を右に水平に押動し、同時に、カード柱とカード溝が係合し接続する状態にあり、電気先端と電気穴が係合し接続する状態にあり、ロック溝と第一滑り溝が対応する状態にあり、第一ばねくぎの押圧作用のもとで、滑り板がロック溝に挿し込み係合し接続しカード柱をカード溝にロックし、これによりカード柱の取付台の接続安定性を確保し、その後に押込レバーを左水平に押動し、押込レバーが滑り台と連動して左にスライドし、押込レバーの押動作用のもとで、滑り台が転送溝の一番左端に位置し、上電気ブロックと下電気ブロックがそれぞれ上電気筐体と下電気筐体と係合し接続し通電し、これにより電気穴を通電し、電気先端を通電し、電気挟持機に電力供給し、同時にロックレバーが回転可能なように環状ロック溝に挿し込み押込レバーの位置をロックし、電気挟持機が加工品を吸着する安定性を保証する。
【００２２】
2. ロックレバーを下に回転可能なようにし、第二ばねくぎの押圧作用のもとでロックレバーが右に押動され、ロックレバーが右に押動し滑り台と連動して右にスライドし、これにより上電気ブロックと下電気ブロックがそれぞれに上電気筐体と下電気筐体と離れて係合し接続し、電気穴を通電し、電気挟持機が電源オフし加工品を吸着することを停止し、その後にアームレバーを右に押動し、これにより滑り板がロック溝との係合接続から離れて、カード柱を解錠し、その後にカード溝の中からカード柱を抜け出してカード柱がカード溝との係合接続から離れて、その後にアームレバーを緩めて、第一ばねくぎの押圧作用のもとで、滑り板が左に押圧され初期位置状態に戻って、これにより次回に電気挟持機が通電し加工品を吸着することを便利にし、これにより通電挟持機が通電し加工品を吸着する安全性を高める。
【００２３】
3.本発明は全体的な構造が簡単で、設計が完全に合理的で、電気挟持機を通電し加工品を吸着する同時に電気挟持機をロックし、電気挟持機が通電し接触不良などの電気現象で引き起こす感電事故を避けて、現在の生活の感電事故を大きく減らし、電気挟持機が通電する安全性と安定性と保証し、電気挟持機が加工品を吸着する効率を高める。
【００２４】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019181666.tif 000003
【図２】
2019181666.tif 000004
【図３】
2019181666.tif 000005
【手続補正書】
【提出日】令和1年5月22日(2019.5.22)
【手続補正１】
【補正対象書類名】特許請求の範囲
【補正対象項目名】請求項１
【補正方法】変更
【補正の内容】
【請求項１】
加工品吸着器であって、取付台、前記取付台と接続するカード柱と前記カード柱と接続する電気吸着器を含み、前記カード柱の底端面の右側に第一斜角面が設置され、前記カード柱の右端面に右に向かうロック溝が設置され、前記取付台の頂端面の中心に前記カード柱を挿入し係合し接続されるカード溝が設置され、前記カード溝の底端壁の中心に電気先端と係合し接続される電気穴が設置され、前記カード溝の右側に第一滑り溝が設置され、前記第一滑り溝の上端に上に向かって前記取付台の外部と連結する開口溝が設置され、前記第一滑り溝の右端壁にキャビティが設置され、前記第一滑り溝に左右に滑り板がスライド可能なように設置され、前記滑り板の上端面に前記開口溝と摺動可能なように係合して接続され上に伸びるアームレバーが設置され、前記滑り板の頂端面の左側に前記第一斜角面と当接しスライド可能に係合する第二斜角面が設置され、前記滑り板の右端に第一ばねくぎが接続され、前記第一ばねくぎが前記滑り板と離れる一端が前記キャビティの右端壁に接続され、前記取付台の中において前記カード溝の下には転送溝が設置され、前記転送溝の右端に押込装置が設置され、前記転送溝に左右にスライドする滑り台が設置され、前記転送溝の左端壁に上下対称に上電気ブロックと下電気ブロックが設置され、前記滑り台の左端面に上下対称に前記上電気ブロックと下電気ブロックと係合し接続し通電する上電気筐体と下電気筐体が設置され、前記上電気ブロックが前記電気穴と電気的に接続し、前記下電気ブロックが商用電源と接続し、前記上電気筐体と前記下電気筐体が互いに電気的に接続し、前記押込装置が前記転送溝と前記取付台の外部を連結する開口溝と前記開口溝に設置される押込レバーを含み、前記開口溝の左側に固定取付板が固定的に設置され、前記押込レバーの左端が前記固定取付板を通り抜けて前記固定取付板と左右に摺動可能なように係合して接続し、前記押込レバーの左端が前記滑り台と固定的に接続し、前記押込レバーの左端位置に近づく位置にフランジが固定的に設置され、前記押込レバーが前記固定取付板と前記フランジの間に第二ばねくぎが回転可能なように設置され、前記押込レバーの下端に前記押込レバーとヒンジで連結するロックレバーが設置され、前記取付台の下端面に前記開口溝と連結する環状ロック溝が設置され、前記ロックレバーのロック部位が回転可能なように前記環状ロック溝に挿し込み、前記第一斜角面と前記第二斜角面の傾斜角度が同一であり、前記ロック溝と前記第一滑り溝のノッチ面積が同じであることを特徴とする加工品吸着器。
【手続補正２】
【補正対象書類名】明細書
【補正対象項目名】全文
【補正方法】変更
【補正の内容】
【発明の詳細な説明】
【技術分野】
【０００１】
本発明は加工品加工設備分野に関し、具体的には加工品吸着器に関する。
【背景技術】
【０００２】
加工品を加工する過程において、加工品吸着設備を使って加工品を固定し、現在の加工品吸着設備の構造が複雑で、日常のメンテナンスと使用に不便で、安全性能が悪く、そして現在の吸着設備が常に二つ或いはいくつかの吸着板を使って加工品を固定し、吸着板のクランプ力が大きすぎると加工品が変形しやすく、吸着板のクランプ力が小さすぎると緩みやすく、欠陥が存在する。
【先行技術文献】
【特許文献】
【０００３】
【特許文献１】中国特許出願公開第１０４２０９８５７号明細書
【発明の概要】
【発明が解決しようとする課題】
【０００４】
本発明は加工品吸着器を提供し、従来技術における上記欠点を解消することを目的とする。
【課題を解決するための手段】
【０００５】
上記の問題を解決するため、本発明は以下の技術方案を採用する。本発明の加工品吸着器は取付台、前記取付台と接続するカード柱と前記カード柱と接続する電気吸着器を含み、前記カード柱の底端面の右側に第一斜角面が設置され、前記カード柱の右端面に右に向かうロック溝が設置され、前記取付台の頂端面の中心に前記カード柱を挿入し係合し接続されるカード溝が設置され、前記カード溝の底端壁の中心に電気先端と係合し接続される電気穴が設置され、前記カード溝の右側に第一滑り溝が設置され、前記第一滑り溝の上端に上に向かって前記取付台の外部と連結する開口溝が設置され、前記第一滑り溝の右端壁にキャビティが設置され、前記第一滑り溝に左右に滑り板がスライド可能なように設置され、前記滑り板の上端面に前記開口溝と摺動可能なように係合して接続され上に伸びるアームレバーが設置され、前記滑り板の頂端面の左側に前記第一斜角面と当接しスライド可能に係合する第二斜角面が設置され、前記滑り板の右端に第一ばねくぎが接続され、前記第一ばねくぎが前記滑り板と離れる一端が前記キャビティの右端壁に接続され、前記取付台の中において前記カード溝の下には転送溝が設置され、前記転送溝の右端に押込装置が設置され、前記転送溝に左右にスライドする滑り台が設置され、前記転送溝の左端壁に上下対称に上電気ブロックと下電気ブロックが設置され、前記滑り台の左端面に上下対称に前記上電気ブロックと下電気ブロックと係合し接続し通電する上電気筐体と下電気筐体が設置され、前記上電気ブロックが前記電気穴と電気的に接続し、前記下電気ブロックが商用電源と接続し、前記上電気筐体と前記下電気筐体が互いに電気的に接続する。
【０００６】
好ましい技術方案として前記押込装置が前記転送溝と前記取付台の外部を連結する開口溝と前記開口溝に設置される押込レバーを含み、前記開口溝の左側に固定取付板が固定的に設置され、前記押込レバーの左端が前記固定取付板を通り抜けて前記固定取付板と左右に摺動可能なように係合して接続し、前記押込レバーの左端が前記滑り台と固定的に接続し、前記押込レバーの左端位置に近づく位置にフランジが固定的に設置され、前記押込レバーが前記固定取付板と前記フランジの間に第二ばねくぎが回転可能なように設置され、前記押込レバーの下端に前記押込レバーとヒンジで連結するロックレバーが設置され、前記取付台の下端面に前記開口溝と連結する環状ロック溝が設置され、前記ロックレバーのロック部位が回転可能なように前記環状ロック溝に挿し込む。
【０００７】
好ましい技術方案として、前記第一斜角面と前記第二斜角面の傾斜角度が同一であり、前記ロック溝と前記第一滑り溝のノッチ面積が同じである。
【０００８】
本発明の有益な効果は、下記の通りである。１．カード柱とカード溝を正確に合わせて、次第にカード溝に挿し込み、カード柱がカード溝に挿し込んで第一斜角面と第二斜角面が当接しスライド可能なように係合し、これによりカード柱を使って滑り板を右に水平に押動し、同時に、カード柱とカード溝が係合し接続する状態にあり、電気先端と電気穴が係合し接続する状態にあり、ロック溝と第一滑り溝が対応する状態にあり、第一ばねくぎの押圧作用のもとで、滑り板がロック溝に挿し込み係合し接続しカード柱をカード溝にロックし、これによりカード柱の取付台の接続安定性を確保し、その後に押込レバーを左水平に押動し、押込レバーが滑り台と連動して左にスライドし、押込レバーの押動作用のもとで、滑り台が転送溝の一番左端に位置し、上電気ブロックと下電気ブロックがそれぞれ上電気筐体と下電気筐体と係合し接続し通電し、これにより電気穴を通電し、電気先端を通電し、電気吸着器に電力供給し、同時にロックレバーが回転可能なように環状ロック溝に挿し込み押込レバーの位置をロックし、電気吸着器が加工品を吸着する安定性を保証する。
【０００９】
２．ロックレバーを下に回転可能なようにし、第二ばねくぎの押圧作用のもとでロックレバーが右に押動され、ロックレバーが右に押動し滑り台と連動して右にスライドし、これにより上電気ブロックと下電気ブロックがそれぞれに上電気筐体と下電気筐体と離れて係合し接続し、電気穴を通電し、電気吸着器が電源オフし加工品を吸着することを停止し、その後にアームレバーを右に押動し、これにより滑り板がロック溝との係合接続から離れて、カード柱を解錠し、その後にカード溝の中からカード柱を抜け出してカード柱がカード溝との係合接続から離れて、その後にアームレバーを緩めて、第一ばねくぎの押圧作用のもとで、滑り板が左に押圧され初期位置状態に戻って、これにより次回に電気吸着器が通電し加工品を吸着することを便利にし、これにより通電吸着器が通電し加工品を吸着する安全性を高める。
【００１０】
３．本発明は全体的な構造が簡単で、設計が完全に合理的で、電気吸着器を通電し加工品を吸着する同時に電気吸着器をロックし、電気吸着器が通電し接触不良などの電気現象で引き起こす感電事故を避けて、現在の生活の感電事故を大きく減らし、電気吸着器が通電する安全性と安定性と保証し、電気吸着器が加工品を吸着する効率を高める。
【発明の効果】
【００１１】
本発明の有益な効果は、下記の通りである。１．前記カード柱と前記カード溝を正確に合わせて、次第に前記カード溝に挿し込み、前記カード柱が前記カード溝に挿し込んで前記第一斜角面と前記第二斜角面が当接しスライド可能なように係合し、これにより前記カード柱を使って前記滑り板を右に水平に押動し、同時に、前記カード柱と前記カード溝が係合し接続する状態にあり、前記電気先端と前記電気穴が係合し接続する状態にあり、前記ロック溝と前記第一滑り溝が対応する状態にあり、前記第一ばねくぎの押圧作用のもとで、前記滑り板が前記ロック溝に挿し込み係合し接続し前記カード柱を前記カード溝にロックし、これによりカード柱の取付台の接続安定性を確保し、その後に前記押込レバーを左水平に押動し、前記押込レバーが前記滑り台と連動して左にスライドし、前記押込レバーの押動作用のもとで、前記滑り台が前記転送溝の一番左端に位置し、前記上電気ブロックと下電気ブロックがそれぞれ前記上電気筐体と下電気筐体と係合し接続し通電し、これにより前記電気穴を通電し、前記電気先端を通電し、前記電気吸着器に電力供給し、同時に前記ロックレバーが回転可能なように環状ロック溝に挿し込み前記押込レバーの位置をロックし、前記電気吸着器が加工品を吸着する安定性を保証する。
【００１２】
２．前記ロックレバーを下に回転可能なようにし、前記第二ばねくぎの押圧作用のもとで前記ロックレバーが右に押動され、前記ロックレバーが右に押動し前記滑り台と連動して右にスライドし、これにより前記上電気ブロックと下電気ブロックがそれぞれに前記上電気筐体と前記下電気筐体と離れて係合し接続し、前記電気穴を通電し、前記電気吸着器が電源オフし加工品を吸着することを停止し、その後に前記アームレバーを右に押動し、これにより前記滑り板が前記ロック溝との係合接続から離れて、前記カード柱を解錠し、その後に前記カード溝の中から前記カード柱を抜け出して前記カード柱が前記カード溝との係合接続から離れて、その後に前記アームレバーを緩めて、前記第一ばねくぎの押圧作用のもとで、前記滑り板が左に押圧され初期位置状態に戻って、これにより次回に前記電気吸着器が通電し加工品を吸着することを便利にし、これにより通電吸着器が通電し加工品を吸着する安全性を高める。
【００１３】
３．本発明は全体的な構造が簡単で、設計が完全に合理的で、電気吸着器を通電し加工品を吸着する同時に電気吸着器をロックし、電気吸着器が通電し接触不良などの電気現象で引き起こす感電事故を避けて、現在の生活の感電事故を大きく減らし、電気吸着器が通電する安全性と安定性と保証し、電気吸着器が加工品を吸着する効率を高める。
【図面の簡単な説明】
【００１４】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１５】
【図１】図１は本発明の加工品吸着器の全体構造概略図である。
【図２】図２は図１の中の電気吸着器が通電とロック状態にある構造概略図である。
【図３】図３は本発明の取付台の俯瞰構造概略図である。
【発明を実施するための形態】
【００１６】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１７】
図１〜３が示すように、加工品吸着器は取付台３、前記取付台３と接続するカード柱２と前記カード柱２と接続する電気吸着器１を含み、前記カード柱２の底端面の右側に第一斜角面５が設置され、前記カード柱２の右端面に右に向かうロック溝６が設置され、前記取付台３の頂端面の中心に前記カード柱２を挿入し係合し接続されるカード溝１３が設置され、前記カード溝１３の底端壁の中心に電気先端４と係合し接続される電気穴１４が設置され、前記カード溝１３の右側に第一滑り溝９が設置され、前記第一滑り溝９の上端に上に向かって前記取付台３の外部と連結する開口溝１５が設置され、前記第一滑り溝９の右端壁にキャビティ１２が設置され、前記第一滑り溝９に左右に滑り板８がスライド可能なように設置され、前記滑り板８の上端面に前記開口溝１５と摺動可能なように係合して接続され上に伸びるアームレバー１０が設置され、前記滑り板８の頂端面の左側に前記第一斜角面５と当接しスライド可能に係合する第二斜角面７が設置され、前記滑り板８の右端に第一ばねくぎ１１が接続され、前記第一ばねくぎ１１が前記滑り板８と離れる一端が前記キャビティ１２の右端壁に接続され、前記取付台３の中において前記カード溝１３の下には転送溝１９が設置され、前記転送溝１９の右端に押込装置１６が設置され、前記転送溝１９に左右にスライドする滑り台２２が設置され、前記転送溝１９の左端壁に上下対称に上電気ブロック２０と下電気ブロック２１が設置され、前記滑り台２２の左端面に上下対称に前記上電気ブロック２０と下電気ブロック２１と係合し接続し通電する上電気筐体２４と下電気筐体２３が設置され、前記上電気ブロック２０が前記電気穴１４と電気的に接続し、前記下電気ブロック２１が商用電源と接続し、前記上電気筐体２４と前記下電気筐体２３が互いに電気的に接続する。
【００１８】
好ましくは、前記押込装置１６が前記転送溝１９と前記取付台３の外部を連結する開口溝２８と前記開口溝２８に設置される押込レバー２７を含み、前記開口溝２８の左側に固定取付板２９が固定的に設置され、前記押込レバー２７の左端が前記固定取付板２９を通り抜けて前記固定取付板２９と左右に摺動可能なように係合して接続し、前記押込レバー２７の左端が前記滑り台２２と固定的に接続し、前記押込レバー２７の左端位置に近づく位置にフランジ２６が固定的に設置され、前記押込レバー２７が前記固定取付板２９と前記フランジ２６の間に第二ばねくぎ２５が回転可能なように設置され、前記押込レバー２７の下端に前記押込レバー２７とヒンジで連結するロックレバー１７が設置され、前記取付台３の下端面に前記開口溝２８と連結する環状ロック溝１８が設置され、前記ロックレバーのロック部位が回転可能なように前記環状ロック溝１８に挿し込み、これにより通電接触の安定性と停電解錠の高速性を保証する。
【００１９】
好ましくは、前記第一斜角面５と前記第二斜角面７の傾斜角度が同一であり、前記ロック溝６と前記第一滑り溝のノッチ面積が同一であり、これにより前記滑り板８が前記ロック溝６に挿し込んで係合し接続することを便利にする。
【００２０】
本装置を使用する時に、前記カード柱２と前記カード溝１３を正確に合わせて、次第に前記カード溝１３に挿し込み、前記カード柱２が前記カード溝１３に挿し込んで前記第一斜角面５と前記第二斜角面７が当接しスライド可能なように係合し、これにより前記カード柱２を使って前記滑り板を右に水平に押動し、同時に、前記カード柱２と前記カード溝１３が係合し接続する状態にあり、前記電気先端４と前記電気穴１４が係合し接続する状態にあり、前記ロック溝６と前記第一滑り溝９が対応する状態にあり、前記第一ばねくぎ１１の押圧作用のもとで、前記滑り板８が前記ロック溝６に挿し込み係合し接続し前記カード柱２を前記カード溝１３にロックし、これによりカード柱２の取付台３の接続安定性を確保し、その後に前記押込レバー２７を左水平に押動し、前記押込レバー２７が前記滑り台２２と連動して左にスライドし、前記押込レバー２７の押動作用のもとで、前記滑り台２２が前記転送溝１９の一番左端に位置し、前記上電気ブロック２０と下電気ブロック２１がそれぞれ前記上電気筐体２４と下電気筐体２３と係合し接続し通電し、これにより前記電気穴１４を通電し、前記電気先端４を通電し、前記電気吸着器１に電力供給し、同時に前記ロックレバー１７が回転可能なように環状ロック溝１８に挿し込み前記押込レバー２７の位置をロックし、前記電気吸着器１が加工品を吸着する安定性を保証し、電気吸着器１を使用しない時に、前記ロックレバー１７を下に回転可能なようにし、前記第二ばねくぎ２５の押圧作用のもとで前記ロックレバー１７が右に押動され、前記ロックレバー１７が右に押動し前記滑り台２２と連動して右にスライドし、これにより前記上電気ブロック２０と下電気ブロック２１がそれぞれに前記上電気筐体２４と前記下電気筐体２３と離れて係合し接続し、前記電気穴１４を通電し、前記電気吸着器１が電源オフし加工品を吸着することを停止し、その後に前記アームレバー１０を右に押動し、これにより前記滑り板８が前記ロック溝６との係合接続から離れて、前記カード柱２を解錠し、その後に前記カード溝１３の中から前記カード柱２を抜け出して前記カード柱２が前記カード溝１３との係合接続から離れて、その後に前記アームレバー１０を緩めて、前記第一ばねくぎ１１の押圧作用のもとで、前記滑り板８が左に押圧され初期位置状態に戻って、これにより次回に前記電気吸着器１が通電し加工品を吸着することを便利にする。
【００２１】
本発明の有益な効果は、下記の通りである。１．カード柱とカード溝を正確に合わせて、次第にカード溝に挿し込み、カード柱がカード溝に挿し込んで第一斜角面と第二斜角面が当接しスライド可能なように係合し、これによりカード柱を使って滑り板を右に水平に押動し、同時に、カード柱とカード溝が係合し接続する状態にあり、電気先端と電気穴が係合し接続する状態にあり、ロック溝と第一滑り溝が対応する状態にあり、第一ばねくぎの押圧作用のもとで、滑り板がロック溝に挿し込み係合し接続しカード柱をカード溝にロックし、これによりカード柱の取付台の接続安定性を確保し、その後に押込レバーを左水平に押動し、押込レバーが滑り台と連動して左にスライドし、押込レバーの押動作用のもとで、滑り台が転送溝の一番左端に位置し、上電気ブロックと下電気ブロックがそれぞれ上電気筐体と下電気筐体と係合し接続し通電し、これにより電気穴を通電し、電気先端を通電し、電気吸着器に電力供給し、同時にロックレバーが回転可能なように環状ロック溝に挿し込み押込レバーの位置をロックし、電気吸着器が加工品を吸着する安定性を保証する。
【００２２】
２．ロックレバーを下に回転可能なようにし、第二ばねくぎの押圧作用のもとでロックレバーが右に押動され、ロックレバーが右に押動し滑り台と連動して右にスライドし、これにより上電気ブロックと下電気ブロックがそれぞれに上電気筐体と下電気筐体と離れて係合し接続し、電気穴を通電し、電気吸着器が電源オフし加工品を吸着することを停止し、その後にアームレバーを右に押動し、これにより滑り板がロック溝との係合接続から離れて、カード柱を解錠し、その後にカード溝の中からカード柱を抜け出してカード柱がカード溝との係合接続から離れて、その後にアームレバーを緩めて、第一ばねくぎの押圧作用のもとで、滑り板が左に押圧され初期位置状態に戻って、これにより次回に電気吸着器が通電し加工品を吸着することを便利にし、これにより通電吸着器が通電し加工品を吸着する安全性を高める。
【００２３】
３．本発明は全体的な構造が簡単で、設計が完全に合理的で、電気吸着器を通電し加工品を吸着する同時に電気吸着器をロックし、電気吸着器が通電し接触不良などの電気現象で引き起こす感電事故を避けて、現在の生活の感電事故を大きく減らし、電気吸着器が通電する安全性と安定性と保証し、電気吸着器が加工品を吸着する効率を高める。
【００２４】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。